(57)【要約】    本発明は、高温用途のための接着剤として有用なエポキシ樹脂系である。システムは、３０〜７０重量％での、ジグリシジルエーテルビスフェノールエポキシ樹脂と、１〜１０重量％のエポキシノボラック樹脂、ブロック化された末端イソシアネート官能基を好ましくは有する、１０〜３０重量％のポリウレタン強化剤、１〜８重量％の硬化剤、０．１〜重量％の、好ましくは潜在性尿素硬化促進剤である硬化促進剤との組み合わせであり、機械的強度と弾性モジュラスとの望ましい均衡を与える。エポキシノボラック樹脂は、以下の特徴の少なくとも１つによって特徴づけられる：（ｉ）ＡＳＴＭＤ−４４５に従って３０００ｍＰａ−ｓ未満の、２５℃での粘度を有すること、（ｉｉ）２超だが３．７未満の、１分子当たりエポキシド基の平均数、及び（ｉｉｉ）７５０ｇ／モル未満の分子量。  【選択図】なし【特許請求の範囲】
【請求項１】
接着性エポキシ樹脂系であって、
ａ．３０〜７０重量％の１種以上のジグリシジルエーテルビスフェノールＡ樹脂、
ｂ．１〜１０重量％のエポキシノボラック樹脂であって、以下の特徴の少なくとも１つによって特徴づけられるエポキシノボラック樹脂：（ｉ）ＡＳＴＭ  Ｄ−４４５に従って３０００ｍＰａ−秒未満の、２５℃での粘度を有すること、（ｉｉ）２超だが３．７未満の、１分子当たりのエポキシ基の平均数、及び（ｉｉｉ）７５０ｇ／モル未満の分子量、ｃ．１０−３０重量％のポリウレタン強化剤、但し、前記系が単一成分系である場合、前記ポリウレタン強化剤は、一官能性キャッピング剤でブロックされることを条件とする、
ｄ．５〜２０重量％の軟化剤、
ｅ．１〜８重量％の硬化剤、並びに
ｆ．０．１〜重量％の芳香族尿素ベース硬化促進剤
を含み、
前記重量％が、前記系の全重量に基づく、接着性エポキシ樹脂系。
【請求項２】
前記系が、単一成分系であり、及び前記硬化促進剤が潜在性硬化促進剤である、請求項１に記載の接着性エポキシ樹脂系。
【請求項３】
前記１種以上のジグリシジルエーテルビスフェノールＡ樹脂が、前記系の３０〜６０重量％の量で液体エポキシ樹脂成分及び前記系の１〜１０重量％の量で固体エポキシ樹脂成分を含む、請求項１又は２に記載の接着性エポキシ樹脂系。
【請求項４】
５〜３０重量％の量で充填剤をさらに含む、請求項１〜３のいずれか一項に記載の接着性エポキシ樹脂系。
【請求項５】
前記エポキシノボラック樹脂が、式：
【化１】
2020524728.tif 000007
（式中、ｎは、繰り返し単位の平均数であり、ｎは１．７未満である）
を有する、請求項１〜４のいずれか一項に記載の接着性エポキシ樹脂系。
【請求項６】
前記ポリウレタン強化剤が、ポリテトラアルキレンエーテルグリコールと、ポリアルカジエン−ジオール及びジイソシアネートとの反応生成物から形成される、請求項１〜５のいずれか一項に記載の接着性エポキシ樹脂系。
【請求項７】
前記強化剤が、ポリレノール鎖延長剤との反応によって鎖延長される、請求項６に記載の接着性エポキシ樹脂。
【請求項８】
前記鎖延長剤が、ｏ，ｏ’−ジアリルビスフェノールＡである、請求項７に記載の接着性エポキシ樹脂。
【請求項９】
前記軟化剤が、カルボキシ末端化アクリロニトリルブタジエンエポキシ付加物又はポリアミンエポキシ付加物である、請求項１〜８のいずれか一項に記載の接着性エポキシ樹脂系。
【請求項１０】
前記硬化剤が、ジシアンジアミドである、請求項１〜９のいずれか一項に記載の接着性エポキシ樹脂系。
【請求項１１】
前記エポキシノボラック樹脂が、ＡＳＴＭ  Ｄ−４４５に従って３０００ｍＰａ−秒未満の、２５℃での粘度を有する、請求項１〜１０のいずれか一項に記載の接着性エポキシ樹脂系。
【請求項１２】
前記エポキシノボラック樹脂が、２超だが３．７未満の、１分子当たりエポキシド基の平均数を有する、請求項１〜１１のいずれか一項に記載の接着性エポキシ樹脂系。
【請求項１３】
前記エポキシノボラック樹脂が、７５０ｇ／モル未満の分子量を有する、請求項１〜１２のいずれか一項に記載の接着性エポキシ樹脂系。
【請求項１４】
第１の成分が、前記１種以上のジグリシジルエーテルビスフェノールＡ樹脂及び前記エポキシノボラック樹脂を含み、並びに第２の成分が、前記ポリウレタン強化剤、前記硬化剤及び前記硬化促進剤を含む、二成分系である、請求項１及び３〜８のいずれか一項に記載の接着性エポキシ樹脂系。
【発明の詳細な説明】
【技術分野】
【０００１】
本発明は、概して、特に輸送車両の部品の接着における使用を含めて、熱応力に耐えることが期待される様々な表面を接着する際に有用なエポキシ配合物に関する。
【背景技術】
【０００２】
特に車及びトラックを含む、輸送車両の製造では、異なる材料が車体重量を減らすために設計で使用される。アルミニウム又は炭素繊維強化コンポジットのような軽量材料が、鋼に加えて使用される。さらに、接着剤が部品の単なる溶接よりもむしろ一般に使用される。車両車体は製造中に（例えば、温度が１６０〜２１０Ｃの範囲であり得る、防食のための電着中に）加熱され、及びまた使用中の大きな温度範囲変化を被り得るので、異なる材料の異なる熱膨張率が材料間の継ぎ手において重大な機械的応力を引き起こし得る。
【０００３】
今日の構造用強化エポキシ系ボディショップ接着剤は、別個の材料により作製された部品の異なる線熱膨張係数（ＣＬＴＥ）によって引き起こされる熱応力に耐えるために必ずしも適当であるとは限らない。それらは、高められた温度でのより高い強度値及び高められた温度での凝集破壊モードが不足している。望ましいより低い弾性モジュラスを有する接着剤は、高温で必要な高い機械的強度を有しない。高温での機械的強度を増加させる試みは、しばしば弾性モジュラスに望ましくない効果をもたらす。したがって、比較的低い弾性モジュラス（例えば、６００〜１２００ＭＰａ）と、一方で高められた温度で機械的強度を保持することとの両方ともを達成する構造用エポキシ接着剤配合物に対する必要性が存在する。
【発明の概要】
【課題を解決するための手段】
【０００４】
本発明者らは、高温での機械的強度と、望ましい弾性モジュラスとの望ましい均衡を与える配合物を発見した。
【０００５】
具体的には、本発明者らは、３０〜７０重量％の量での、ジグリシジルエーテルビスフェノールエポキシ樹脂と、１〜１０重量％のエポキシノボラック樹脂、１０〜３０重量％の、ブロック化された末端イソシアネート官能基を好ましくは有するポリウレタン強化剤、１〜８重量％の硬化剤、好ましくは潜在性尿素硬化促進剤である、０．１〜重量％の硬化促進剤との組合せであり、但し、機械的強度と弾性モジュラスとの望ましい均衡を与える、エポキシ樹脂系を見出した。エポキシノボラック樹脂は、以下の特徴の少なくとも１つによって特徴づけられる：
（ｉ）ＡＳＴＭ  Ｄ−４４５に従って３０００ｍＰａ−秒未満の、２５℃での粘度を有すること、（ｉｉ）２超だが３．７未満の、１分子当たりエポキシド基の平均数、及び（ｉｉｉ）７５０ｇ／モル未満の分子量。
【０００６】
本発明は、したがって、上記エポキシ樹脂系、及び上記組成の硬化反応生成物である。１つの好ましい実施形態によれば、系は、ポリウレタン強化剤がブロック化され、その結果、エポキシに関して安定であり、並びに硬化促進剤は、潜在性であり、及び硬化は、好ましくは、１５０℃超、好ましくは１６０〜２１０℃の範囲の温度に加熱することによって開始される、上記原料の単一成分を含む。第２の実施形態によれば、本発明はまた、ビスフェノールＡのジグリシジルエーテルとエポキシノボラック樹脂とを含むエポキシ樹脂成分である第１の反応成分並びに硬化剤及び硬化促進剤を含む第２の反応成分を含む系である。
【発明を実施するための形態】
【０００７】
本発明で有用なジグリシジルエーテルビスフェノールエポキシ樹脂は、液体又は固体形態であってもよい。このような樹脂のブレンドが使用され得る。好ましくは、この成分は、ビスフェノールＡ、ビスフェノールＦ、ビスフェノールＫ、又はビスフェノールＭのジグリシジルエーテルである。最も好ましくは、それは、ビスフェノールＡのジグリシジルエーテルである。
【０００８】
ブレンドが使用される場合、それは、少なくとも１種の多価フェノール、好ましくは、１７０〜２９９、特に１７０〜２２５のエポキシ当量を有するビスフェノールＡ又はビスフェノールＦのジグリシジルエーテルと、少なくとも１種の多価フェノール、再度好ましくはビスフェノールＡ又はビスフェノールＦの第２のジグリシジルエーテルであって、このものは少なくとも３００、好ましくは３１０〜６００のエポキシ当量を有するジグリシジルエーテルとの混合物であってもよい。これら２種のタイプの樹脂の比率は、好ましくは２種の樹脂の混合物が２２５〜４００の平均エポキシ当量を有するようなものである。混合物はまた、２０％まで、好ましくは１０％までの１種以上の他のエポキシ樹脂を任意選択で含有してもよい。
【０００９】
好適なジグリシジルエーテルとしては、名称Ｄ．Ｅ．Ｒ．  ３３０、Ｄ．Ｅ．Ｒ．  ３３１、Ｄ．Ｅ．Ｒ．  ３３２、Ｄ．Ｅ．Ｒ．  ３８３、Ｄ．Ｅ．Ｒ．  ６６１及びＤ．Ｅ．Ｒ．６６２樹脂の下でＯｌｉｎ  Ｃｏｒｐｏｒａｔｉｏｎにより販売されているような、ビスフェノールＡのジグリシジルエーテル樹脂が挙げられる。このような樹脂の混合物の例としては、固体及び液体樹脂の混合物、例えば、４０重量％の固体樹脂及び６０重量％の液体樹脂、及びの量での、Ｏｌｉｎ  ＣｏｒｐｏｒａｔｉｏｎからのＤ．Ｅ．Ｒ．６７１及びＤ．Ｅ．Ｒ．３３１の混合物が挙げられる。
【００１０】
使用されるビスフェノールＡのジグリシジルエーテル樹脂の量は、系の成分の全重量に基づいて、３０重量％以上、より好ましくは４０重量％以上だが、７０重量％以下、好ましくは６０重量％以下である。好ましくは、ビスフェノールＡのジグリシジルエーテル（ＤＧＥＢＡ）樹脂は、固体と液体エポキシ樹脂との混合物であり、固体ＤＧＥＢＡは、系の成分の全重量に基づいて、１重量％以上、より好ましくは２重量％以上だが、好ましくは１０重量％以下、より好ましくは６重量％以下を構成し、及び液体ＤＧＥＢＡは、系の成分の全重量に基づいて、３０重量％以上、より好ましくは４０重量％以上だが、６０重量％以下を構成する。
【００１１】
本発明で有用なエポキシノボラック樹脂は、比較的低い粘度及び／又は低い分子量によって特徴づけられる。好ましいエポキシノボラック樹脂は、以下の構造
【化１】
2020524728.tif 000002
（式中、ｎは、繰り返し単位の平均数であり、ｎは、１．７未満である）を有する。或いは又はさらに、好ましいエポキシノボラック樹脂は、ＡＳＴＭ  Ｄ−４４５に従って、３０００ｍＰａ−秒未満、好ましくは２５００ｍＰａ−秒未満、最も好ましくは２０００ｍＰａ−秒以下の２５℃での粘度を有する。或いは又はさらに、好ましいエポキシノボラック樹脂は、７００ｇ／モル未満、好ましくは６５０ｇ／モル未満、より好ましくはなお６００ｇ／モル未満、なおより好ましくは５５０ｇ／モル未満、最も好ましくは５００ｇ／モル未満の分子量を有するが、２５０ｇ／モル以上、好ましくは３００ｇ／モル以上の分子量を有する。好適なエポキシノボラック樹脂の例としては、すべてＯｌｉｎ  Ｃｏｒｐｏｒａｔｉｏｎからの、Ｄ．Ｅ．Ｎ．  ３５４、Ｄ．Ｅ．Ｎ．  ４３１及び  Ｄ．Ｅ．Ｎ．  ４３８が挙げられる。
【００１２】
本発明の系は、ポリウレタン強化剤を含む。好ましい強化剤は、ポリフェノール、好ましくはＯＤＢＡ（ｏ，ｏ’−ジアリルビスフェノールＡ）を使用し、ＰＴＭＥＧ（ポリテトラメチレングリコール）とＰＢＤ（ポリブタジエンジオール）との組合せを使用することによって、鎖延長され、及びモノ−フェノールを使用することによってキャップされる。参照例Ｆは、いずれのＰＢＤも欠き、キャッピング基としてポリフェノールを使用する。好ましくは、特に熱により活性化される単一成分系の場合、強化剤は、早期反応を防止するためにブロック化官能基を有する。ブロッキングは、好ましくはモノフェノールを使用して行われる。ポリウレタン強化剤は、好ましくは重合ポリテトラメチレンエーテルグリコール（ＰＴＭＥＧ）であり、ここで、その先端は、イソシアネート及びフェノール化合物で修飾されていて、硬化条件が得られる場合にそれらをエポキシ樹脂と反応させる。単一成分熱硬化性接着剤では、イソシアネートプレポリマーは、熱にさらされる場合（硬化条件）にＰＵ−強化剤から解離するキャッピング基によって保護されることが必要である。好ましくは、強化剤は、ソフト単位（例えば、ＰＴＭＥＧからの）、及びイソシアネートの残基により連結されたゴム状単位（例えば、ポリブタジエン−ジオール（ｐｏｌｙｂｕｔａｄｉｅｎｏｌ）からの）を有するジオールの残基を含む。ポリウレタン強化剤はまた、ｏ，ｏ’−ジアリルビスフェノールＡ（ｏ，ｏ’ｄｉａｌｌｋｙｌｂｉｓｐｈｏｎａｌ  ａ）（ＯＢＤＡ）などのポリフェノールを使用して鎖延長されてもよい。キャッピング基は、好ましくはモノフェノール基、例えば、カルダノール（カシュナッツ殻油“ＣＮＳＬ”）、又はアリルフェノールである。好ましいポリウレタン強化剤は、すべて強化剤の重量に基づいて、ＰＴＭＥＧ（１０〜９５重量％、好ましくは２０〜９０重量％、より好ましくは４５〜８５重量％）と、ポリブタジエン−ジオール（２〜５５重量％、好ましくは５〜４０重量％、より好ましくは１０〜３０重量％）、１，６−ヘキサメチレンジイソシアネートなどのジイソシアネート（２〜４０重量％、好ましくは５〜３０重量％、より好ましくは１０〜２０重量％）及びＣＮＳＬ（０．１〜５０重量％、好ましくは０．１〜２０重量％、最も好ましくは０．１〜１５重量％）との反応生成物である。好適なブロック化ポリウレタン強化剤の例としては、国際公開第２０１７／０４４４０２号パンフレット及び米国特許第８，４０４，７８７号明細書の実施例２に教示されたものであり、それらのそれぞれは、参照により本明細書に援用される。
【００１３】
使用される強化剤の量は、エポキシ系の全重量に基づいて、好ましくは１０重量％以上、より好ましくは１５重量％以上だが、好ましくは３０重量％以下、より好ましくは２５重量％以下である。
【００１４】
本発明に有用な硬化剤は、当技術分野で有用として知られたいずれかのもの、例えば、ジシアンジアミド、イミダゾール、アミン、アミド、多価フェノール、及びポリ無水物であってもよいが、好ましくはアミン又はアミドベース硬化剤である。これらの硬化剤は、好ましくは潜在性であり、その結果、それらは周囲条件下で硬化を引き起こさず、むしろ硬化を引き起こすために加熱され、又は通常より多い光線照射曝露にさらされなければならない。好適な硬化剤としては、ジシアンジアミド、例えば、Ａｉｒ  ＰｒｏｄｕｃｔｓからのＡｍｉｃｕｒｅ（商標）ＣＧ  １２００又はＡｌｚｃｈｅｍからのＤｙｈａｒｄ  １００  ＳＦが挙げられる。硬化剤の量は、系の全重量に基づいて、好ましくは１重量％以上、より好ましくは２重量％以上だが、好ましくは８重量％以下、より好ましくは６重量％以下である。
【００１５】
本発明で有用な硬化促進剤は、芳香族尿素ベース硬化促進剤である、これらは、メチレンジフェニルジイソシアネート（ＭＤＩ）をジメチルアミンと反応させることによって形成されてもよい。このような芳香族尿素ベース硬化促進剤の市販の例としては、ＥｍｅｒａｌｄからのＯｍｎｉｃｕｒｅ（商標）５２Ｍ及び４０５Ｍが挙げられる。フェニル−ジ−メチルベース尿素が好ましい。硬化促進剤の量は、系の全重量に基づいて、好ましくは０．１重量％以上、より好ましくは０．３重量％以上だが、好ましくは３重量％以下、より好ましくは１重量％以下である。
【００１６】
上記に加えて、組成物は軟化剤も含む。好適な軟化剤としては、カルボキシ末端アクリロニトリルブタジエン（ＣＴＢＮ）エポキシ付加物又はポリアミンエポキシ付加物が挙げられる。このような製品の例として、Ｓ＆Ｓ  Ｓｃｈｉｌｌ  ＆  ＳｅｉｌａｃｈｅｒからのＳｔｒｕｔｋｏｌ  ３６０４、又はＯｌｉｎ  ＣｏｒｐｏｒａｔｉｏｎからのＤ．Ｅ．Ｒ．、例えば、Ｄ．Ｅ．Ｒ．３３０と、Ｈｕｎｔｓｍａｎ  Ｃｏｒｐｏｒａｔｉｏｎからのポリエーテルアミン、例えば、Ｊｅｆｆａｍｉｎｅ  Ｄ−２０００との組合せが挙げられる。軟化剤は、系における成分の全重量に基づいて、好ましくは５重量％以上、より好ましくは８重量％以上だが、２０重量％以下、より好ましくは１５重量％以下の量で存在する。
【００１７】
充填剤も、必要に応じて使用されてもよい。好適な充填剤としては、炭酸カルシウム、酸化カルシウム、タルク、ウォラストナイト、ガラスビーズなどが挙げられる。充填剤の量は、好ましくは３０重量％未満、より好ましくは２０重量％未満である。使用される場合、充填剤の量は、好ましくは５重量％超である。
【００１８】
組成物はまた、任意選択で着色剤、反応性希釈剤、接着促進剤及び／又は湿潤剤を含んでもよい。好適な着色剤の例は、Ｈｕｎｔｓｍａｎ  Ｃｏｒｐｏｒａｔｉｏｎからのエポキシ着色剤Ａｒａｌｄｉｔｅ  ＤＹシリーズである。反応性希釈剤の例としては、ヘキサン、ブチルジグリシジル及びそれらの、が挙げられる。接着促進剤は、エポキシシラン、例えば、Ｓｙｌｑｕｅｓｔ  Ａ  １８７などであってもよい。
【００１９】
単一成分系は、遊星型ミキサなどのミキサ中で流動物及びペースト並びに固体のすべてを組み合わせることによって配合されてもよい。二成分系の場合、ビスフェノールＡのジグリシジルエーテル及びエポキシノボラック樹脂を含むエポキシ樹脂成分が組み合わされ及び混合されてもよく、硬化剤及び硬化促進剤を含む第２の成分が、組み合わされ及び混合されてもよい。次いで、接着剤を使用することが望まれる場合、二成分は、その場で組み合わされる。
【００２０】
次いで、系は、硬化させるために１５０℃以上、好ましくは１６０℃Ｃ以上だが、好ましくは２１０℃以下の温度に加熱される。
【００２１】
接着剤系は、任意の公知のプロセスによって使用されてもよい。例えば、混合物は、カートリッジに充填されてもよい。接着剤は、通常、カートリッジガンを使用することによってノズルに通してカートリッジから外へ試験目的のために手作業で適用される。接着剤配合物の粘度がそのように高く、手作業での適用が室温で容易に行われ得ない場合、カートリッジは、より良い適用性のために４０〜６０℃に前もって加熱することができる。
【００２２】
本発明の系は、高められた温度で高い機械的強度と、一方で比較的低い弾性モジュラスを有することとの良好な均衡を示す。具体的には、これらの系は、ＤＩＮ  ＥＮ  ＩＳＯ  ５２７−１．  Ｄｕｍｂｂｅｌｌ試験片５ａに従って試験される場合、６００超だが、１２００ＭＰａ未満の弾性モジュラスを示す。それらは、１３０℃で６０ＣＦ以上及び１４０℃で４０ＣＦ以上の凝集破壊により証明されるように高いラップせん断強度も示す。
【実施例】
【００２３】
本発明を、以下の非限定的実施例によってさらに例証する。
【００２４】
【表１】
2020524728.tif 000003
【００２５】
【表２】
2020524728.tif 000004
【００２６】
一般強化剤Ａ（好ましい強化剤）合成：
１．  第１の反応ステップ：ｘ重量％の成分［ａ］及び［ｂ］を実験室反応器中に加え、１２０℃まで加熱する。この混合物を真空下１２０℃で３０分間混合する。次いで、混合物を６０℃まで冷却する。温度が６０℃に達したら、ｘ重量％の成分［ｃ］を加え、それを２分間混合させる。次いで、ｘ重量％の成分［ｄ］を加え、この混合物を窒素下８５℃（浴温度）で４５分間反応させる。
【００２７】
２．  第２の反応ステップ：ｘ重量％の成分［ｅ］を加え、この混合物を窒素下９５℃［浴温度］で６０分間攪拌する。
【００２８】
３．  第３の反応ステップ：ｘ重量％の成分［ｆ］を加え、この混合物を窒素下で１２０分間攪拌する。最後に、混合物を真空下で２０分間撹拌する。
【００２９】
表３は、作製された様々な配合物を示す。これらの配合物は、以下の一般手順によって作製した：
流動物、ペースト及び着色剤のすべてを缶中で組み合わせ、５０℃で５分間混合し、次いで、真空下でさらに３０分間混合する。こすり落とし、ヒュームドシリカを加え、温度を３５℃に設定し、３分間混合し、次いで、真空下でさらに２０分間混合する。全ての他の顔料を加え、真空下で３分間混合し、次いで、こすり落とした後、真空下でさらに１５分間混合する。
【００３０】
【表３】
2020524728.tif 000005
【００３１】
これらの配合物を以下の手順に従って試験した。
【００３２】
レオロジー
−  回転粘度／降伏応力：  Ｂｏｈｌｉｎ  ＣＳ−５０レオメータ、Ｃ／Ｐ  ２０、上／下０．１〜２０秒／１；Ｃａｓｓｏｎモデルによる評価。ＤＳＣ：  Ｍｅｔｔｌｅｒ  Ｔｏｌｅｄｏ  ２５℃〜２５０℃、１０℃／分傾斜上昇；ＴＧは、第２の実行により測定。
【００３３】
機械的試験
使用済み鋼：Ｖｏｅｓｔ  Ａｌｐｉｎｅにより供給されるとおりの、高温浸漬亜鉛被覆鋼：  ４２０ＬＡＤ＋Ｚ１００ＭＢ、厚さ１．２ｍｍ及び電気的亜鉛被覆鋼ＨＣ  ３４０ＬＡＤ＋ＺＥ  ５０−５０  厚さ１．０ｍｍ。
−  以下のＤＩＮ  ＥＮ  １４６５によるラップせん断強度：  １０ｘ２５ｍｍ接着面積、０．２ｍｍ接着剤層厚さ。ＬＳ基板＝ＶｏｅｓｔＡｌｐｉｎｅにより供給された、Ｈ４２０  Ｚ１００  ＬＡＤ  １．２ｍｍ／／Ｈ３４０  ＺＥ  ５０／５０  １．０ｍｍ組合せ。試験速度１０ｍｍ／分。
−  Ｌａｐせん断強度は、２３℃、１３０℃及び１４０℃で試験した。
−  ＩＳＯ  １１３４３に従う衝撃剥離強度：  ２０ｘ３０ｍｍ接着面積、０．３ｍｍ接着剤層厚さ。ＩＰ基板＝ＶｏｅｓｔＡｌｐｉｎｅにより供給された、Ｈ４２０  Ｚ１００  ＬＡＤ  １．０ｍｍ。試験速度２ｍ／秒。
−  モジュラスは、ＤＩＮ  ＥＮ  ＩＳＯ  ５２７−１．Ｄｕｍｂｅｌｌ試験片５ａに従って試験した。
【００３４】
【表４】
2020524728.tif 000006
【国際調査報告】
2020524728.tif 000008
2020524728.tif 000009